(57)【要約】【課題】第１、第２の記録メディアに対して、録画繋ぎ部として記録されるオーバーラップ期間記録情報に対する管理情報を新設し、このオーバーラップ期間記録情報の再生あるいはスキップを任意にユーザが選択できるようにする。【解決手段】  DVD-RAM１００１の記録容量が少なくなると、ハードディスクに対する記録状態に移行する。この場合、繋ぎ部分の情報として、DVD-RAMとハードディスクの両方にそれぞれオーバーラップ期間記録情報を記録する。また双方の再生用管理情報の中に、前記オーバーラップ期間記録情報をスキップできるようにエントリーポイント情報を記録するものである。【選択図】          図１
2005018979.tif 000002
【特許請求の範囲】
【請求項１】
複数の記録メディアを同じ時期にアクセスする情報記録再生装置において、
第1の記録メディアの情報記録状態から第２の記録メディアの情報記録状態に遷移する場合、繋ぎ部分の情報として、前記第1と第2のメディアの両方にそれぞれオーバーラップ期間記録情報を記録し、
少なくとも前記第2の記録メディアに記録される再生用管理情報の中に、この第2の記録メディアに記録されている前記オーバーラップ期間記録情報をスキップさせるためのスキップ処理用情報を記録する
ことを特徴とする複数の記録メディアの映像記録再生方法。
【請求項２】
複数の記録メディアを同じ時期にアクセスする情報記録再生装置において、
第1の記録メディアの情報記録状態から第2の記録メディアの情報記録状態に遷移する場合、繋ぎ部分の情報として、前記第1と第2の記録メディアの両方にそれぞれオーバーラップ期間記録情報を記録する手段と、
少なくとも前記第2の記録メディアに記録される再生用管理情報の中に、この第2の記録メディアに記録されている前記オーバーラップ期間記録情報をスキップさせるためのスキップ処理用情報を記録する手段と
を具備したことを特徴とする複数の記録メディアの映像記録再生装置。
【発明の詳細な説明】
【技術分野】
【０００１】
この発明は、記録メディアの映像記録再生装置及び方法に関する。この発明が適用される情報記録再生装置としては、例えば装置に内蔵されたハードディスクと、この装置に着脱自在で録再可能なＤＶＤ（デジタル・バーサタイル・ディスク）などの媒体を取り扱うことができる機器がある。
【背景技術】
【０００２】
近年、画像圧縮技術において、現在、国際規格化したＭＰＥＧ２（Moving Image Coding Expert Group ）方式を使用するとともに、ＡＣ３オーディオ圧縮方式を採用したＤＶＤ規格が提案された。
【０００３】
この規格は、ＭＰＥＧ２システムレイヤに従って、動画圧縮方式にＭＰＥＧ２方式をサポートし、音声圧縮方式にＡＣ３オーディオ圧縮方式及びＭＰＥＧオーディオ圧縮方式をサポートしている。さらに、映画やカラオケ等の字幕用としてビットマップデータをランレングス圧縮した副映像データを取り扱うことができるようになっている。さらに、この規格では、早送り逆送りなどの特殊再生ができるように、コントロールデータ（ナビパック）を追加している。さらにまたこの規格では、コンピュータでディスクのデータを読むことが出来るように、ＩＳ０９６６０とマイクロＵＤＦの規格をサポートしている。
【０００４】
また、メディア自身の規格としては、ＤＶＤ−ビデオのメディアであるＤＶＤ−ＲＯＭの規格に続き、ＤＶＤ−ＲＡＭの規格（記録容量約４．７ＧＢ）も完成し、ＤＶＤ−ＲＡＭドライブもコンピュータ周辺機器として、普及し始めている。
【０００５】
さらに、現在ではＤＶＤ−ＲＡＭを利用し、リアルタイムでの情報記録再生が可能なシステムを実現するＤＶＤビデオ規格、つまりＲＴＲ（Real Time Recording）−ＤＶＤの規格が完成している。この規格は、現在発売されているＤＶＤ−ビデオの規格を元に考えられている。さらに、そのＲＴＲ−ＤＶＤに対応したファイルシステムも現在規格化されている。
【０００６】
一方では、録再装置に内蔵されたハード・ディスク装置（ＨＤＤ）を利用し、放送信号を記録再生する方式も考えられている。ハードディスク装置では１００Ｇバイト以上のデータ記録が可能である。
【０００７】
上記のように画像圧縮技術の発達にともない、情報記憶メディア（ＤＶＤ，ハードディスク、半導体メモリ）を放送信号などをリアルタイム録画用として有効活用した録再装置が開発されている。
【０００８】
このような機器の使用形態とその機能を考えた場合、以下のような使用形態や機能が考えられる。即ち、放送番組信号（或は他の媒体からの再生信号）が録再装置に入力され、録再装置は、番組信号を所定のフォーマットに変換して記録媒体（DVD−RAM）に記録する。このような記録処理をプログラム予約時間に行なうのである。そして、DVD−RAMの残り容量が少なくなると、自動的にハードディスクに連続的な情報記録を行なう機能である。このような繋ぎ記録を行なう場合、DVD‐RAMの最後の数分間記録された情報の一部と同じ情報をハードディスクにも記録する機能（以下オーバーラップ期間記録機能と称する）である。
【０００９】
オーバーラップ期間記録を行なうのは、例えば記録内容が推理番組のように、ストーリーのつながりに意味をもつような場合、一部を再度再生できるようにし、視聴者にストリーを思い出させる効果があるからである。しかし、一方ではオーバーラップ期間の情報を再生し終えるまでの期間が冗長な時間であり、次のシーンを早急に再生して欲しいという意見もある。
【特許文献１】特開平１１−３２８８２４号公報
【特許文献２】特開平１０−２１０４１３号公報
【発明の開示】
【発明が解決しようとする課題】
【００１０】
そこでこの発明は、まずオーバーラップ記録部分をジャンプする映像記再生装置を提供することを目的とする。
【課題を解決するための手段】
【００１１】
この発明は、上記の目的を達成するために、複数の記録メディアを同じ時期にアクセスする情報記録再生装置において、第1の記録メディアの情報記録状態から第２の記録メディアの情報記録状態に遷移する場合、繋ぎ部分の情報として、前記第1と第2のメディアの両方にそれぞれオーバーラップ期間記録情報を記録し、少なくとも前記第2の記録メディアに記録される再生用管理情報の中に、この第2の記録メディアに記録されている前記オーバーラップ期間記録情報をスキップさせるためのスキップ処理用情報を記録することを特徴とする。
【発明の効果】
【００１２】
上記の手段により、使い勝手のよい動作を得ることが可能となる。
【発明を実施するための最良の形態】
【００１３】
以下この発明の実施の形態を図面を参照して説明する。
【００１４】
図１は、この発明を適用した録再装置の一実施の形態を示す図である。この実施例は、記録媒体として、ＤＶＤ−ＲＡＭ、ハードディスクの両方を取扱うことができる録再装置として示しているが、ハードディスク或はＤＶＤ−ＲＡＭは半導体メモリによる記憶媒体に置換されてもよい。
【００１５】
図１の各ブロックを大きく分けると、左側には記録部の主なブロックを示し、右側には再生部の主なブロックを示している。
【００１６】
この情報録再装置は、ハードディスクドライブ部２００１を有する。ビデオファイルを構築できる情報記憶媒体である第1のメディアとしての光ディスク１００１を回転駆動し、情報の読み書きを実行するディスクドライブ部１００２を有する。また、第2のメディアとしてのハードディスクを駆動するハードディスクドライブ部２００１を有する。データプロセッサ部１００３は、ディスクドライブ部１００２及びハードディスクドライブ部２００１に記録データを供給することができ、また、再生された信号を受け取ることができる。ディスクドライブ部１００２は、光ディスク１００１に対する回転制御系、レーザ駆動系、光学系などを有する。
【００１７】
データプロセッサ部１００３は、記録或は再生単位のデータを取扱うもので、バッファ回路、変調・復調回路、エラー訂正部などを含む。
【００１８】
またこの録再装置は、録画側を構成するエンコーダ部５０と、再生側を構成するデコーダ部６０と、装置本体の動作を制御するマイクロコンピュータブロック３０とを主たる構成要素としている。
【００１９】
エンコーダ部５０は、入力されたアナログビデオ信号、入力されたアナログオーディオ信号を、デジタル化するビデオ用及びオーディオ用のアナログデジタルコンバータと、ビデオエンコーダと、オーディオエンコーダとを有する。さらにまた、副映像エンコーダも含む。
【００２０】
エンコーダ部５０の出力は、バッファメモリを含むフォーマッタ５１にて、所定のＤＶＤ−ＲＡＭのフォーマットに変換され、先のデータプロセッサ部１００３に供給される。
【００２１】
エンコーダ部５０には、ＡＶ入力部４１からの外部アナログビデオ信号と外部アナログオーディオ信号、あるいはＴＶ（テレビジョン）チューナ４２からのアナログビデオ信号とアナログ音声信号が入力される。
【００２２】
尚、エンコーダ部５０は、直接圧縮されたデジタルビデオ信号やデジタルオーディオ信号が直接入力されるときは、圧縮デジタルビデオ信号やデジタルオーディオ信号を直接フォーマッタ５１に供給することもできる。アナログデジタル変換された、デジタルビデオ信号やデジタルオーディオ信号を、ビデオミキシング部７１、オーディオセレクタ７６に直接供給することもできる。
【００２３】
ビデオエンコーダでは、デジタルビデオ信号は、ＭＰＥＧ２またはＭＰＥＧ１規格に基づいた可変ビットレートで圧縮されたデジタルビデオ信号に変換される。デジタルオーディオ信号は、ＭＰＥＧまたはＡＣ−３規格に基づいて、固定ビットレートで圧縮されたデジタルオーディオ信号またはリニアＰＣＭのデジタルオーディオ信号に変換される。
【００２４】
副映像情報がＡＶ入力部４２から入力された場合（例えば副映像信号の独立出力端子付ＤＶＤビデオプレーヤからの信号）、あるいはこのようなデータ構成のＤＶＤビデオ信号が放送され、それがＴＶチューナ４２で受信された場合は、ＤＶＤビデオ信号中の副映像信号が、副映像エンコーダでエンコード（ランレングス圧縮）され、副映像のビットマップとなる。
【００２５】
エンコードされたデジタルビデオ信号、デジタルオーディオ信号、副映像データは、フォーマッタ５１においてパック化され、ビデオパック、オーディオパック、副映像パックとなり、さらにこれらが集合されて、DVD‐レコーディング規格（例えばＤＶＤ−ＲＡＭ、DVD‐R、DVD-RWなどの規格）で規定されたフォーマットに変換される。
【００２６】
ここで、本装置は、フォーマッタ５１でフォーマット化されたされた情報（ビデオ、オーディオ、副映像データなどのパック）及び作成された管理情報を、データプロセッサ１００３を介してハードディスクドライブ部２００１（或はディスクドライブ部１００２）に供給し、ハードディスク（あるいは光ディスク１００１）に記録することができる。またハードディスク（或は光ディスク１００１）に記録された情報を、データプロセッサ部１００３、ディスクドライブ部１００２を介して光ディスク１００１（或はハードディスク）に記録することもできる。これは、ハードディスク及び光ディスク１００１に記録されている情報のデータフォーマットが同じであることによる。
【００２７】
またハードディスク或は光ディスク１００１に記録されている複数番組のビデオオブジェクトを、一部削除したり、異なる番組のオブジェクトを繋げたり、する編集処理を行うこともできる。これは、本発明に係るフォーマットが取り扱うデータ単位（後述する）を定義し、編集を容易にしているからである。
【００２８】
マイクロコンピュータブロック３０は、ＭＰＵ（マイクロプロセシングユニット）、またはＣＰＵ（セントラルプロセシングユニット）と、制御プログラム等が書き込まれたＲＯＭと、プログラム実行に必要なワークエリアを提供するためのＲＡＭとを含んでいる。
【００２９】
マイクロコンピュータブロック３０のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定等を実行する。
【００３０】
また、マイクロコンピュータブロック３０は、システム全体を制御するために必要な情報処理部を有するもので、ワークRAM、ディレクトリ検知部、VMG（全体のビデオ管理情報）情報作成部、コピー関連情報検知部、コピー及びスクランブリング情報処理部（RDI処理部）、パケットヘッダ処理部、シーケンスヘッダ処理部、アスペクト比情報処理部を備える。
【００３１】
ＭＰＵの実行結果のうち、ユーザに通知すべき内容は、ＤＶＤビデオレコーダの表示部４３に表示されるか、またはモニタディスプレイにＯＳＤ（オンスクリーンディスプレイ）表示される。また、マイクロコンピュータブロック３０には、この装置を操作するための操作信号を与えるキー入力部４４を有する。
【００３２】
なお、マイクロコンピュータブロック３０が、ディスクドライブ部１００２、データプロセッサ部１００３、エンコーダ部５０及び／またはデコーダ部６０等を制御するタイミングは、システムタイムクロック（ＳＴＣ）３８からの時間データに基づいて、実行することができる。録画や再生の動作は、通常はＳＴＣ３８からのタイムクロックに同期して実行されるが、それ以外の処理は、ＳＴＣ３８とは独立したタイミングで実行されてもよい。
【００３３】
デコーダ部６０は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダを有する。またデコードされた主映像データにデコードされた副映像データを適宜合成し、主映像にメニュー、ハイライトボタン、字幕やその他の副映像を重ねて出力するビデオプロセッサを備えている。
【００３４】
デコーダ部６０の出力ビデオ信号は、ビデオミキシング部７１に入力される。ビデオミキシング部７１では、テキストデータの合成が行われる。またビデオミキシング部７１には、また、ＴＶチューナ４１やＡ／Ｖ入力部４２からの信号を直接取り込むラインも接続されている。ビデオミキシング部７１には、バッファとして用いるフレームメモリ７２が接続されている。ビデオミキシング部７１の出力がデジタル出力の場合は、インターフェース（Ｉ／Ｆ）７３を介して外部へ出力され、アナログ出力の場合は、デジタルアナログ変換器７４を介して外部へ出力される。
【００３５】
デコーダ部６０の出力オーディオ信号は、セレクタ７６を介してデジタルアナログ変換器７７でアナログ変換され外部に出力される。セレクタ７６は、マイクロコンピュータブロック３０からのセレクト信号により制御される。これにより、セレクタ７６は、ＴＶチューナ４１やＡ／Ｖ入力部４２からのデジタル信号を直接モニタするとき、エンコーダ部５０をスルーした信号を直接選択することも可能である。
【００３６】
尚、エンコーダ部５０のフォーマッタでは、録画中、各切り分け情報を作成し、定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのＩピクチャのエンドアドレス、ＶＯＢＵの再生時間などである。
【００３７】
同時に、アスペクト情報処理部からの情報を録画開始時にＭＰＵへ送り、ＭＰＵはＶＯＢストリーム情報（ＳＴＩ）を作成する。ここで、ＳＴＩは、解像度データ、アスペクトデータなどを保存し、再生時、各デコーダ部はこの情報を元に初期設定を行われる。
【００３８】
また、録再ＤＶＤでは、ビデオファイルは１ディスクに１ファイルとしている。またデータをアクセス（シーク）している間に、とぎれないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムでは、このＣＤＡ単位で記録を行っている。
【００３９】
データプロセッサ部１００３は、エンコーダ部５０のフォーマッタからＶＯＢＵ単位のデータを受け取り、ＣＤＡ単位のデータを、ディスクドライブ部１００２に供給している。またマイクロコンピュータブロック３０のＭＰＵは、記録したデータを再生するのに必要な管理情報を作成し、データ記録終了のコマンドを認識すると、作成した管理情報をデータ処理部１００３に送る。これにより、管理情報がディスクに記録される。したがって、エンコードが行なわれているとき、エンコーダ部５０からマイクロコンピュータブロック３０のＭＰＵは、データ単位の情報（切り分け情報など）を受け取る。また、マイクロコンピュータブロック３０のＭＰＵは、記録開始時には、光ディスク及びハードディスクから読み取った管理情報（ファイルシステム）を認識し、各ディスクの未記録エリアを認識し、データの記録エリアをデータプロセッサ部１００３を介してディスクに設定している。
【００４０】
ここで、リアルタイムＤＶＤの管理情報と、コンテンツであるビデオオブジェクトとの関係を簡単に説明する。
【００４１】
図２において、まずビデオオブジェクト（ＶＯＢ）について説明する。ＶＯＢはディレクトリーでは、ＶＲ＿ＭＯＶＩＥ．ＶＲＯファイルと称される。ビデオファイルは、階層構造であり、１つのファイルは、１つ又は複数のＶＯＢ（ビデオオブジェクト）で構成され、１つのＶＯＢは、１つ又は複数のＶＯＢＵ（ビデオオブジェクトユニット）で構成され、１つのＶＯＢＵは、複数パックから構成される。複数のパックとしては、ＲＤＩパック、Ｖ（ビデオ）パック、Ａ（オーディオ）パック等が存在する。副映像パック（ＳＰパック）が存在してもよい。
【００４２】
ＲＤＩパックは、ユニット制御情報パック、或はナビゲーション情報パック、或はリアルタイムデータ情報パック（ＲＤＩ＿ＰＣＫ）と称される。このパックには、これが属するＶＯＢＵの最初のフィールドが再生される開始時間を示す情報、当該ＶＯＢＵの記録時を示す情報、製造者情報（ＭＮＦＩ）などを含む。また、ディスプレイ制御情報（ＤＣＩ）及びコピーコントロール情報（ＣＣＩ）を含む。ディスプレイ制御情報は、アスペクト比情報、サブタイトルモード情報、フィルムカメラモード情報を示す。コピーコントロール情報（ＣＣＩ）は、コピー許可情報（０，０）、またはコピー禁止（コピー否許可）情報（１，１）を含む。
【００４３】
Ｖパックは、ビデオデータがＭＰＥＧ２の方式で圧縮されたもので、パックヘッダ、パケットヘッダ、ビデオデータ部で構成される。Ａパックは、オーディオデータが、例えばリニアＰＣＭあるいはＭＰＥＧ，あるいはＡＣ３などの方式で処理されたものであり、パックヘッダ、パケットヘッダ、オーディオデータ部で構成される。
【００４４】
管理情報は、ビデオマネージャー（ＶＭＧ）と称され、その中にデータ再生順序を管理するプログラムチェーン（ＰＧＣ）が定義されている。このプログラムチェーン（ＰＧＣ）には、セル（Ｃｅｌｌ）が定義され、さらにセル（Ｃｅｌｌ）には、再生すべき対象となるビデオオブジェクト（ＶＯＢ）に関する情報であるビデオオブジェクト情報（ＶＯＢＩ）が定義される。ＰＧＣの具体的情報を記録してある部分がプログラムチェーン情報（ＰＧＣＩ）部分である。ＰＧＣＩには、2種類が存在し、１つはオリジナルＰＧＣＩ（ＯＲＧ＿ＰＧＣＩ），もう1つはユーザディファインドＰＧＣテーブル（ＵＤ＿ＰＧＣＩＴ）である。通常、記録時には、オリジナルPGCIが作成される。ユーザディファインドPGCTは、オリジナルPGCで管理されているビデオオブジェクトに対して編集（削除、追加、間引き）などが行なわれたとき、プレイリストという管理情報として作成される。
【００４５】
ＶＯＢＩ内には、タイムマップ（ＴＭＡＰ）が記述されており、このＴＭＡＰは、ＶＯＢＩに対応するＶＯＢを構成しているＶＯＢＵを指定する。セルからＶＯＢＩへのリンクは、論理アドレスで特定されている。また、ＴＭＡＰ情報からＶＯＢ及びＶＯＢＵへのリンクは、ＶＯＢのストリーム番号、このＶＯＢ内のＶＯＢＵの数、各ＶＯＢＵに対するエントリー番号、各ターゲットＶＯＢＵへの論理アドレスに基づいて行なわれている。
【００４６】
図３において、管理情報の中のPGCIの階層を説明する。
【００４７】
プログラムチェーン情報（PGCI）は、プログラムチェーン一般情報（PGC_GI）とプログラム情報PGIと、セル情報サーチポインター（CI＿SRP）と、セル情報（CI）を含む。PGC_GIは、プログラムチェーンにより再生されるプログラムが幾つ存在するかを示すプログラム数（PG_Nｓ）、セルサーチポインタが幾つ存在するかを示すセルサーチポインタ数（C_SRP_Ns）が記述されている。図の例では、プログラム情報PGI＃１、PGI#ｎが存在する。またセルサーチポインタC_SRP#1、C_SRP#nが存在する。
【００４８】
プログラム情報PGIには、プログラムタイプと、このプログラムのセル数と、このプログラムの代表画像情報（代表画像のセル番号、及びこのセルの中のピクチャーポイントをPTMで記述している）が含まれる。
【００４９】
セルサーチポインタC_SRPには、セル一般情報（図の例では動画を意味するムービーセル一般情報）M_C_GIと、ムービーセルエントリーポイント情報（M_C_EPI）が記述されている。M_C_GIには、ムービーであるかスチルであるかを示すセルタイプ、このセルで特定されるVOBを指示するためのVOBIと、セルエントリーポイント情報が幾つあるかを示すセルエントリーポイント情報数C_EPI_Nsが記述されている。またこのセルに対応したビデオのスタートする時間を示すC_V_S_PTM、終了時間を示すC_V_E_PTMも記述される。
【００５０】
ここで、上記のムービーエントリーポイント情報M_C_EPIとしては、エントリーポイントのタイプ、及びエントリーポイントのプレゼンテーションタイム（PTM）が記述されている。
【００５１】
図４は、本発明の装置が録画のために使用されたときの動作をフローチャートで示している。まずDVD-RAM（光ディスク１００１）に対する録画が開始される。エンコーダ部５０でエンコードされたビデオ情報、オーディオ情報は、フォーマッタ５１でフォーマットされ、データプロセッサ部１００３、ディスクドライブ部１００２を介して記録が行なわれる（ステップA1,A2,A3）。また、DVD規格に基く管理情報が作成され、この管理情報は、バッファメモリ５１に一時的に格納される（ステップA4）。
【００５２】
さらにDVD-RAMの記憶領域の残り容量が１０分程度以内かどうかの判定が行われる（ステップA５）。１０分程度以上であれば、録画が継続されるが、１０分程度以内になると、DVD−RAM側の管理情報にセルエントリーポイント情報（C_EPI）を設定する（ステップA６）。このセルエントリーポイント情報（C_EPI）は、図３で説明した通りであり、エントリーポイントのPTMとしては、オーバーラップ期間の始まりを示す開始時間（S_PTM）として記述される。
【００５３】
続いて、ハードディスク側に対しても録画が開始される。これにより、DVD-RAM側とハードディスク側の双方に同じ内容の録画が行なわれることになる。つまり、ここからオーバーラップ期間録画が行なわれることになる。次のステップA８では、DVD-RAM残量があるかどうかの判定が行われる。残量があれば、続いてオーバーラップ期間録画が実行される。残量がないと、DVD-RAMへの録画が停止され（ステップA１０）る。このときDVD-RAMの管理情報がDVD-RAMに書き込まれる。なお残量は、ディスクに記録されているファイルシステムの情報から把握することができる。ファイルシステムには、スペースビットマップ記述子が設けられており、未記録領域が管理されているからでる。
【００５４】
次に、ハードディスクに対する単独録画状態に移行する（ステップA１１）。
【００５５】
この場合、ハードディスク側の管理情報に対しても、セルエントリーポイント情報（C_EPI）を設定する（ステップA１２）。このセルエントリーポイント情報（C_EPI）は、図３で説明した通りであり、エントリーポイントのPTMとしては、オーバーラップ期間の終わりを終了時間（E_PTM）として記述される。
【００５６】
そして録画終了操作（タイマーによる録画停止も含む）があれば（ステップA１３）録画が停止される。
【００５７】
上記の処理の結果、DVD-RAMとハードディスクの双方に同一内容を記録したオーバーラップ期間録画が実現したことになる。
【００５８】
図５は、上記の動作において、DVD-RAMに対するエントリーポイント情報が設定されるタイミングと、ハードディスク側に対してエントリーポイント情報が設定されるタイミングと、オーバーラップ期間をタイムチャートで示している。
【００５９】
図６は、上記のように録画されたディスクの情報が再生されるときに、動作を示すフローチャートである。
【００６０】
電源がオンされるとDVD-RAM側、及びハードディスク側の管理情報が読取られ、マクロコンピュータブロック３０のメモリに格納される（ステップB1,B2）。ハードディスク再生モードの指定があったかどうかの判定が行なわれ（ステップB３）る。ハードディスク再生モードの指定があった場合には、次に再生キーの操作があったかどうかの判定が行われる（ステップB４）。再生キーの操作があったことが確認されると、ハードディスク側管理情報からタイトル（VOB）の先頭アドレスをマイクロコンピュータブロック３０が認識する（ステップB５）。マイクロコンピュータブロック３０は、ディスクドライブ部１００２を制御し、タイトルの先頭アドレスからの信号読み取りを行なわせる。これにより、デコーダ部６０では、先頭アドレスから読取った情報のデコードが開始される（ステップB6）。
【００６１】
続いて、再生が続行される（ステップB７）が、スキップ操作があったかどうかの判定も行われる（ステップB8）。スキップ操作が無ければ、次々と再生が続行される。したがってこの間は、オーバーラップ期間情報の再生が行なわれることになる。
【００６２】
しかしスキップ操作があると、現在地点より後のエントリーポイント情報があるかどうかを判定する（ステップB9）。エントリーポイント情報があれば、そのエントリーポイント情報に基づき、ジャンプ先を決定し、ジャンプする。エントリーポイント情報には、PTM（PTM1とする）が記述されている。一方現在再生を行なっているビデオパックにもPTM（PTM２とする）が記述されている。したがって、双方の時間差を計算する。DVD規格ではでは、ディスク上の１物理セクタが１論理セクタとして定義され、１セクタ内のデータ量をほぼ把握することができる。また１ビデオパックのデータ量も２０４８バイトと定義されている。このために、時間差からジャンプすべきデータ量を換算し、このデータ量に基きジャンプすべきセクタの概数を得ることができる。この概数からディスクドライブ部１００２を制御し、エントリーポイントの近くまで移動させて情報を読み取る。そして上記のPTM1に対応するPTMを有するビデオパックが存在したときが、エントリーポイントであり、ここからのデータを再生することになる。
【００６３】
ステップＢ９において、現在地点よりも後のエントリーポイントがない場合には、タイトルの末尾まで移動することになる。尚、ステップB３から、DVD-RAM再生モードに移行した場合にも、再生キー操作があったかどうかを判定する（ステップB１１）。再生キーの操作があった場合には、マイクロコンピュータブロック３０は、DVD-RAMの管理情報からタイトルの先頭アドレスを認識し（ステップB１２）、先頭アドレスからの再生を開始する（ステップB１３）。
【００６４】
上記したように本発明の装置であると、オーバーラップ期間記録情報のエントリーポイントに関する管理情報を記録するようにした。このために、再生時にハードディスク側のオーバーラップ期間記録領域をスキップさせることが容易になる。これにより、オーバーラップ期間記録を行なう本来の目的と、この期間の再生をスキップさせ次の情報を再生したいという要求の双方を満足することができる。
【００６５】
尚この発明は、上記の実施の形態に限定されるものではなく、第１の記録メディアとしてDVD-RAM、第２の記録メディアとしてハードディスクを例として説明したが、両方ともDVD−RAMであってもよいことは勿論である。記録メディアとしては、また大容量の半導体メモリの組み合せであってもよい。
【００６６】
上記したようにこの発明によると、第１、第２の記録メディアに対して、録画繋ぎ部として記録されるオーバーラップ期間記録情報に対する管理情報を新設し、このオーバーラップ期間記録情報の再生あるいはスキップを任意にユーザが選択できる。
【図面の簡単な説明】
【００６７】
【図１】この発明が適用された情報記録再生装置の一実施の形態を示すブロック図。
【図２】DVD規格における管理情報とビデオオブジェクトの管理単位及びデータ単位を説明するために示した図。
【図３】本発明の要部となる管理情報を説明するために示した説明図。
【図４】本発明に係る装置の録画時の動作例を説明するために示したフローチャート。
【図５】本発明の装置により設定されるオーバーラップ期間とエントリーポイント情報の関係を示すタイムチャート。
【図６】本発明に係る装置の再生時の動作例を説明するために示したフローチャート。
【符号の説明】
【００６８】
３０…マイクロコンピュータブロック、３８…システムタイムクロック（ＳＴＣ）、４１…Ａ／Ｖ入力部、４２…ＴＶチューナ部、５０…エンコーダ部、６０…デコーダ部、１００１…光ディスク（DVD-RAM）１００２…ディスクドライブ部、２００１…ハードディスクドライブ装置。
【図１】
2005018979.tif 000003
【図２】
2005018979.tif 000004
【図３】
2005018979.tif 000005
【図４】
2005018979.tif 000006
【図５】
2005018979.tif 000007
【図６】
2005018979.tif 000008